(57)【要約】【課題】、優れた洗浄効果を有する安全、安心、無害なエアコン用洗浄液及びその製造方法を提供することを目的とする。【解決手段】水：９９ｗｔ％以上、水酸化カリウム：０．５ｗｔ％以下を含有するｐＨ１２以上のアルカリイオン電解水であるとともに、直径１μｍ以下の超微細気泡を１ｍｌあたり１０億個以上含有する超微細気泡含有水であるエアコン用洗浄液。【選択図】なし【特許請求の範囲】
【請求項１】
水：９９ｗｔ％以上、水酸化カリウム：０．５ｗｔ％以下を含有するｐＨ１２以上のアルカリイオン電解水であるとともに、直径１μｍ以下の超微細気泡を１ｍｌあたり１０億個以上含有する超微細気泡含有水であることを特徴とするエアコン用洗浄液。
【請求項２】
前記超微細気泡は空気であることを特徴とする請求項１記載のエアコン用洗浄液。
【請求項３】
水を、超微細気泡発生装置を用いて直径１μｍ以下の超微細気泡の気泡密度が１０億個／ｍｌ以上の超微細気泡含有水にし、この超微細気泡含有水を、アルカリイオン電解水生成装置を用いるとともに、水酸化カリウムを電解質として添加して電気分解し、水素イオン濃度１２以上の超微細気泡含有アルカリイオン電解水にすることを特徴とするエアコン用洗浄液の製造方法。
【請求項４】
前記水は、水道水、若しくは水道水を蒸留した蒸留水であることを特徴とする請求項３記載のエアコン用洗浄液の製造方法。
【発明の詳細な説明】
【技術分野】
【０００１】
本発明は、エアコン洗浄に適したエアコン用洗浄液及びその製造方法に関するものである。
【背景技術】
【０００２】
従来、大半のエアコン洗浄作業では、界面活性剤や化学物質を配合した洗浄液や苛性ソーダ配合の強アルカリ性の洗浄液が使用されている。
【０００３】
これら従来の洗浄液は、コスト、作業効率、見た目の洗浄効果を重視するあまり、含有する成分（例えば界面活性剤や化学物質、苛性ソーダ等の劇物）の被洗浄物、作業者及びこの洗浄したエアコンが設置されている環境下で生活、仕事をする人々への影響を軽視したものとなっており、その結果、被洗浄物の表面を損傷（例えば保護用の親水性被膜の除去）させたり、作業者の皮膚や呼吸器官を損傷させたり、洗浄液の残留成分がエアコンの稼働により室内に飛散し、そこで生活する人や仕事をする人に化学物質過敏症等の健康被害をもたらすなど様々な悪影響を及ぼすものとなっている。
【発明の概要】
【発明が解決しようとする課題】
【０００４】
本発明は、このようなエアコン洗浄作業に用いられるエアコン用洗浄液の現状に鑑みなされたもので、優れた洗浄効果を有する安全、安心、無害なエアコン用洗浄液及びその製造方法を提供することを目的とする。
【課題を解決するための手段】
【０００５】
本発明の要旨を説明する。
【０００６】
水：９９ｗｔ％以上、水酸化カリウム：０．５ｗｔ％以下を含有するｐＨ１２以上のアルカリイオン電解水であるとともに、直径１μｍ以下の超微細気泡を１ｍｌあたり１０億個以上含有する超微細気泡含有水であることを特徴とするエアコン用洗浄液に係るものである。
【０００７】
また、前記超微細気泡は空気であることを特徴とする請求項１記載のエアコン用洗浄液に係るものである。
【０００８】
また、水を、超微細気泡発生装置を用いて直径１μｍ以下の超微細気泡の気泡密度が１０億個／ｍｌ以上の超微細気泡含有水にし、この超微細気泡含有水を、アルカリイオン電解水生成装置を用いるとともに、水酸化カリウムを電解質として添加して電気分解し、水素イオン濃度１２以上の超微細気泡含有アルカリイオン電解水にすることを特徴とするエアコン用洗浄液の製造方法に係るものである。
【０００９】
また、前記水は、水道水、若しくは水道水を蒸留した蒸留水であることを特徴とする請求項３記載のエアコン用洗浄液の製造方法に係るものである。
【発明の効果】
【００１０】
本発明は上述のように構成したから、強アルカリイオン電解水による汚れ剥離効果と、超微細気泡含有水による汚れ剥離効果との相乗的汚れ剥離効果を発揮し従来に無い優れた洗浄効果を発揮するとともに、安全、無害で安心して使用できる画期的なエアコン用洗浄液となる。
【発明を実施するための形態】
【００１１】
好適と考える本発明の実施形態を、図面に基づいて本発明の作用を示して簡単に説明する。
【００１２】
本発明は、強アルカリイオン電解水効果により、エアコンに付着した汚れに対して、浸透・膨潤効果、剥離効果、乳化・分離効果を発揮して、この汚れをエアコン表面から剥離するとともに、石鹸効果により油脂分を分解して石鹸化し、界面活性効果を持って汚れを除去する。
【００１３】
更に、超微細気泡含有水効果により、液中の超微細気泡が消滅（破裂）する際に圧壊エネルギー（例えば発光、高温高圧、衝撃波など）を放出し、この圧壊エネルギーがエアコンに付着した汚れに作用して、このエアコンに付着している汚れを剥離する、若しくは剥離し易い状態にする。
【００１４】
即ち、本発明は、強アルカリイオン電解水効果による汚れ剥離作用と超微細気泡含有水効果による汚れ剥離作用との相乗効果により、それぞれが個別に発揮する汚れ剥離効果以上の汚れ剥離効果を発揮し、優れた洗浄効果を発揮するエアコン用洗浄液となる。
【００１５】
しかも、この超微細気泡含有水効果を発揮する液中の超微細気泡は、１μｍ以下と極めて微小な微細気泡であるから、これより大径の微細気泡のように浮上して破裂消滅したり液中で溶解して消滅したりすることがほとんどなく、長期間にわたって液中に残存するので、前記汚れ剥離効果の相乗効果が長期持続され、洗浄作業ごとに洗浄液を作成する必要が無く、また、余った場合も次回の作業に使用することができるので、経済的なエアコン用洗浄液となる。
【００１６】
また、本発明は、成分割合の９９ｗｔ％以上が水成分であり、また、薬剤や洗剤を含有しないから安全性が高く、更に、苛性ソーダを用いない水酸化カリウムを電解質として用いた電気分解により得られた強アルカリイオン電解水であるから、使用時に化学やけどの心配も無い安心して使用できる安全性に優れたエアコン用洗浄液となる。
【００１７】
このように、本発明は、強アルカリイオン電解水による汚れ剥離効果と、超微細気泡含有水による汚れ剥離効果との相乗的汚れ剥離効果を発揮し従来に無い優れた洗浄効果を発揮するとともに、安全、無害で安心して使用できる画期的なエアコン用洗浄液となる。
【実施例】
【００１８】
本発明の具体的な実施例について説明する。
【００１９】
本実施例は、水：９９ｗｔ％以上、水酸化カリウム：０．５ｗｔ％以下を含有するｐＨ１２以上のアルカリイオン電解水であるとともに、直径１μｍ以下の超微細気泡を１ｍｌあたり１０億個以上含有する超微細気泡含有水であるエアコン用洗浄液である。
【００２０】
即ち、本実施例は、水酸化カリウムを電解質として用いた水の電気分解により得られたｐＨ１２以上の強アルカリイオン電解水であり、尚且つ、直径１μｍ以下の超微細気泡を１ｍｌあたり１０億個以上含有する超微細気泡含有水であるエアコン用洗浄液であり、具体的には、前記超微細気泡含有水を、電気分解して強アルカリイオン電解水にした超微細気泡含有強アルカリイオン電解水である。
【００２１】
この超微細気泡含有強アルカリイオン電解水から成る本実施例のエアコン用洗浄液は、以下のようにして生成（製造）される。
【００２２】
まず、超微細気泡発生装置を用いて（本実施例では、ＩＤＥＣ社製  ウルトラファインバブル発生装置  ultrafine Galf FZ1N-10形を使用）、水、具体的には、水道水、若しくは水道水を蒸留した蒸留水に気泡密度が１０億個／ｍｌ以上となる超微細気泡を発生させて超微細気泡含有水を生成する。
【００２３】
具体的には、本実施例では、超微細気泡は空気からなるものとしている。尚、超微細気泡は、空気に限らず、酸素、オゾン、二酸化炭素、窒素、フッ素など洗浄対象物の性質に応じて選択できる。
【００２４】
次いで、この超微細気泡含有水を、アルカリイオン電解水生成装置を用いて（本実施例では、蔵王産業社製  強アルカリイオン電解水生成機  ＺＫプレミアムを使用）電気分解し、ｐＨ１２以上（具体的には、ｐＨ１２．５〜１３．５、好ましくはｐＨ１３．０〜１３．２、より好ましくはｐＨ１３．１）の強アルカリイオン電解水とする。
【００２５】
具体的には、電気分解の際、電解質として水酸化ナトリウム（苛性ソーダ）を用いず、水酸化カリウムを用いて電気分解を行う。
【００２６】
より具体的には、この電解質として加える水酸化カリウムの量は、エアコン用洗浄液の成分割合で０．２ｗｔ％以下となるように設定する。
【００２７】
このようにして生成（製造）される本実施例のエアコン用洗浄液の作用・効果について以下に説明する。
【００２８】
本実施例のエアコン用洗浄液は、強アルカリイオン電解水効果により、エアコンに付着した汚れに対して、浸透・膨潤効果、剥離効果、乳化・分離効果を発揮して、この汚れをエアコン表面から剥離するとともに、石鹸効果により油脂分を分解して石鹸化し、界面活性効果を持って汚れを除去する。
【００２９】
即ち、本実施例のエアコン用洗浄液は、高い浸透力を有し、エアコン表面とこのエアコンに付着した汚れ（以下、単に汚れという）の界面に浸透し、膨潤させ汚れを浮き上がらせ、この浮き上がった汚れをマイナスイオンが包囲するとともに、エアコン表面に存在するプラスイオンを吸収してエアコン表面をマイナスイオン化し、マイナスイオンで包囲した汚れとマイナスイオン化したエアコン表面とが反発することで汚れをエアコン表面から剥離、分散する効果を発揮する。
【００３０】
また、これに加えて、汚れを分断し、細かく分散させることで、より剥離しやすくする効果を発揮する。
【００３１】
また更に、本実施例のエアコン用洗浄液は、超微細気泡含有水効果により、液中の超微細気泡が消滅（破裂）する際に圧壊エネルギー（例えば発光、高温高圧、衝撃波など）を放出し、この圧壊エネルギーがエアコンに付着した汚れに作用して、このエアコンに付着している汚れを剥離する、若しくは剥離し易い状態にする効果を発揮する。
【００３２】
即ち、本実施例のエアコン用洗浄液は、強アルカリイオン電解水効果による汚れ剥離作用と超微細気泡含有水効果による汚れ剥離作用との相乗効果により、それぞれが個別に発揮する汚れ剥離効果以上の汚れ剥離効果を発揮し、アルミフィンなどのエアコン機器を損傷させること無くしっかりと汚れを除去する優れた洗浄効果を発揮する。
【００３３】
しかも、この超微細気泡含有水効果を発揮する液中の超微細気泡は、１μｍ以下と極めて微小な微細気泡であるから、これより大径の微細気泡のように浮上して破裂消滅したり液中で溶解して消滅したりすることがほとんどなく、長期間（数週間から数ヶ月）にわたって液中に残存するので、前記汚れ剥離効果の相乗効果が長期持続され、洗浄作業ごとに洗浄液を作成する必要が無く、また、余った場合も次回の作業に使用することができるので、経済的なものとなる。
【００３４】
また、本実施例のエアコン用洗浄液は、成分割合の９９ｗｔ％以上、具体的には、９９．８ｗｔ％が水成分であり、また、薬剤や洗剤を含有しないから安全性が高く、更に、水酸化カリウムを電解質として用いた（苛性ソーダを用いない）電気分解により得られた強アルカリイオン電解水であるから、使用時に化学やけどの心配も無い安心して使用でき、また、化学物質の残存も無いので、化学物質過敏症などのアレルギーを持つ人が出入りする場所でも安心して使用することができ、安全性に優れる。
【００３５】
また、上記のような成分構成であるため、水洗い、すすぎ洗いの時間やエアコン用洗浄液の使用量を大幅に削減することができ、作業時間の短縮化、効率化が図れる。
【００３６】
また、本実施例の強アルカリイオン電解水効果により、防錆性、抗菌・抗カビ性の効果を発揮する。
【００３７】
また、本実施例のエアコン用洗浄液は、廃棄の際はアルカリ濃度がｐＨ９程度まで下がるように希釈するだけでよいので廃液処理が容易である。
【００３８】
このように、本実施例のエアコン用洗浄液は、強アルカリイオン電解水による汚れ剥離効果と、超微細気泡含有水による汚れ剥離効果との相乗的汚れ剥離効果を発揮し従来に無い優れた洗浄効果を発揮するとともに、安全、無害で安心して使用でき、しかも、作業効率性、経済性にも優れた従来にない画期的なエアコン用洗浄液となる。
【００３９】
尚、本発明は、本実施例に限られるものではなく、各構成要件の具体的構成は適宜設計し得るものである。